【事件の表示】
　特願２００４−３８０４５２号「体の組織に複数の手術用締結具を適用するように適合された手術用器具」拒絶査定不服審判事件〔平成１７年　７月２１日出願公開、特開２００５−１９３０３９号〕について、次のとおり審決する。
【結　論】
　本件審判の請求は、成り立たない。
【理　由】
Ｉ．手続の経緯
　本願は、平成１６年１２月２８日（パリ条約による優先権主張　外国庁受理２００３年１２月３０日（US）アメリカ合衆国）の出願であって、平成２２年６月２２日付けで拒絶の理由が通知され、その指定期間内である平成２２年１２月２２日に意見書及び手続補正書が提出されたが、平成２３年４月１９日付けで拒絶査定がなされ、これに対し、平成２３年８月２４日に拒絶査定不服審判の請求がなされるとともに、同日付けで特許請求の範囲についての手続補正がなされたものである。
　
II．平成２３年８月２４日付けの手続補正についての補正却下の決定
［補正却下の決定の結論］
　平成２３年８月２４日付けの手続補正（以下、「本件補正」という。）を却下する。
　
［理由］
１．補正後の本願発明
　本件補正により、特許請求の範囲の請求項１は、次のように補正された。
　「男性の骨盤内で用いるために適合され、体の組織に複数の手術用締結具を適用するように適合された手術用器具であって、
　近位の端部および遠位の端部を備え、上記近位の端部にはハンドルが配置され、上記遠位の端部には端部エフェクターが配置され、上記端部エフェクターはカートリッジハウジングおよびアンビル構造を支持するような形状および寸法を有し、上記カートリッジハウジングおよび上記アンビル構造が互いに離れた第１の位置および互いに近づいた第２の位置の間を相対的に移動可能である、フレームと、
　選択的に駆動するために上記端部エフェクターおよび上記カートリッジハウジングと関連した発射機構と
を有し、
　上記端部エフェクターが、
５．０８ｃｍ（２インチ）
　
２．補正の目的及び新規事項の追加の有無
　本件補正は、請求項１に記載した発明を特定するために必要な事項である「端部エフェクター」の「２．５４ｃｍ（１インチ）から１０．１６ｃｍ（４インチ）までの直径の湾曲を有する」という限定事項を「５．０８ｃｍ（２インチ）から１０．１６ｃｍ（４インチ）までの直径の湾曲を有する」と補正して、その数値限定の下限値を上げて、数値限定の範囲をさらに限定するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　そして、本件補正は新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前特許法第１７条の２第５項において準用する同法第１２６条第５項の規定に適合するか）について以下に検討する。
　
３−１．引用刊行物の記載事項
（刊行物１）
　原査定の拒絶の理由に引用された、本願の優先権主張の日前に頒布された刊行物である特表２００３−５３４０８９号公報（以下、「刊行物１」という。）には、図面と共に次の事項が記載されている。
　
（ア）「手術用ステープリング器具（１）の基端領域にあるフレームと、手術用ステープリング器具（１）の先端領域にあるステープル締結アセンブリ（８）と、カートリッジ移動装置（５，１２，１６，１８）と、ステープル駆動装置（６，５２，５３）を備え、
  前記フレームは本体部（２，３）と、前記本体部（２）から延びる手術用ステープリング器具のハンドル（４）を有しており、
  ステープル締結アセンブリ（８）は、少なくとも一つの湾曲した開放列（３４，３５，３６）上に配置されたステープル（５４，５５，５６）を有する湾曲したカートリッジ（１０）と、手術用ステープリング器具（１）の先端にある湾曲したアンビル（２２）を備えており、前記アンビル（２２）は前記カートリッジ（１０）と協働して前記カートリッジ（１０）から出るステープル（５４，５５，５６）の端部を整形するのに適しており、
  前記アンビル（２２）のステープル整形面（２６）は、手術用ステープリング器具（１）の前記本体部（３）の長手軸線（Ｌ）を横断する方向に配置されており、
  前記ステープル締結アセンブリ（８）は、前記カートリッジ（１０）および前記アンビル（２２）の内側凹面（４０，４１，４２）に向けての遮られない進入を可能にするのに適しており、
  前記カートリッジ移動装置（５，１２，１６，１８）は、前記カートリッジ（１０）を前記アンビル（２２）とほぼ平行な関係を保ったまま前記アンビル（２２）に向けて、組織を前記カートリッジ（１０）と前記アンビル（２２）の間に配置するための離間状態から、組織を前記カートリッジ（１０）と前記アンビル（２２）の間に挟むための閉止状態に至るまで移動させるのに適しており、
  前記ステープル駆動装置（６，５２，５３）は、前記ステープル（５４，５５，５６）を前記カートリッジ（１０）から前記アンビル（２２）に向けて放出するのに適している、手術用ステープリング器具。」（【特許請求の範囲】【請求項１】）
　
（イ）「前記カートリッジ（１０）および前記アンビル（２２）は、横断面で、ほぼ円弧状の形状を有しており、この円弧は９０°乃至２７０°の角度の範囲にわたっていることを特徴とする請求項１乃至請求項３のいずれかに記載の手術用ステープリング器具。
　前記ステープル締結アセンブリ（８）は湾曲した案内部（１８）を有しており、前記カートリッジ（１０）は前記案内部（１８）の先端（１９）および前記アンビル（２２）の間での移動が可能に取り付けられていることを特徴とする請求項１乃至請求項４のいずれかに記載の手術用ステープリング器具。
　前記案内部（１８）および前記アンビル（２２）は、前記アンビル（２２）の少なくとも一端から延びる少なくとも一つのアーム（２０）によって剛的に連結されており、手術用ステープリング器具（１）の前記本体部（３）の長手軸線（Ｌ）に平行に延びていることを特徴とする請求項５に記載の手術用ステープリング器具。」（【特許請求の範囲】【請求項４】〜【請求項６】）
　
（ウ）「前記ステープル駆動装置（６，５２，５３）および前記ナイフ駆動装置（６，５２，５３）は、共通のトリガー（６）による動作を行えるように、機械的に連結されていることを特徴とする請求項９に記載の手術用ステープリング器具。」（【特許請求の範囲】【請求項１０】）
　
（エ）「前記カートリッジ移動装置（５，１２，１６，１８）は、前記カートリッジ（１０）の移動を引き起こすトリガーレバー（５）を備えることを特徴とする請求項１乃至請求項１１のいずれかに記載の手術用ステープリング器具。」（【特許請求の範囲】【請求項１２】）
　
（オ）「本発明は、例えば湾曲ステープリングを伴う切除によって最も良く処置される全ての病状の診断および治療に使用される手術用ステープリング器具に関する。本発明は、肛門管、口腔器官、口腔および進入のために役立つ手段を介して導入される機械的な縫合器の経腔的利用を広げる手段を提供する。以下、直腸の病状の処置について最も多く説明をさくが、これが唯一の用途というわけではない。」（段落【０００１】）
　
（カ）「この発明の目的は、安全に効率的に迅速に操作および使用することができる、組織、特に消化器官の内部組織をステープル（および必要に応じて切除）するための経済的な手術用ステープリング器具を提供することである。
　この課題は、請求項１に記載の特徴を有する手術用ステープリング器具により解決される。本発明の好適な変形は従属請求項から理解できる。
　本発明に係る手術用ステープリング器具は、手術用ステープリング器具の基端領域にあるフレームを備え、このフレームは本体部と、本体部から延びるハンドルを有する。手術用ステープリング器具の先端領域には、ステープル締結アセンブリが取り付けられている。この明細書において、「基」および「先端」は基準としてのユーザに関連する。つまり、普通の使用状況において、手術用ステープリング器具におけるユーザに近い方の部分が「基」として区別される。
　ステープル締結アセンブリは、少なくとも一つの湾曲した開放列上に配置されたステープルを有する湾曲したカートリッジと、手術用ステープリング器具の先端にある湾曲したアンビルを備えており、アンビルはカートリッジと協働してカートリッジから出るステープルの端部を整形するのに適している。アンビルのステープル整形面は、手術用ステープリング器具の本体部の長手軸線を横断する方向に配置されている。ステープル締結アセンブリは、カートリッジおよびアンビルの内側凹面、ひいては切除すべき組織に向けての遮られない進入を可能にするのに適している。 
　カートリッジ移動装置は、カートリッジをアンビルとほぼ平行な関係を保ったままアンビルに向けて、組織をカートリッジとアンビルの間に配置するための離間状態から、組織をカートリッジとアンビルの間に挟むための閉止状態に至るまで移動させるのに適している。ステープルは、ステープル駆動装置によりカートリッジからアンビルに向けて放出される。」（段落【０００７】〜【００１１】）
　
（キ）「図１は好適な実施の形態の手術用ステープリング器具１を示す図である。手術用ステープリング器具１はフレームを有し、このフレームは本体部とハンドル４を有する。本体部は基部２とシャフト３を備える。ハンドル４は本体部の基端領域から延びており、レバー５およびトリガー６に近接する。トリガー６は後に詳述するように手術用ステープリング器具１を起動するためのものである。基部２、ハンドル４、レバー５およびトリガー６は、手術用ステープリング器具１の取り扱いおよび操作を容易にするために人間工学的に形成されている一方、シャフト３は小さい断面積を有しており、ステープル締結アセンブリ８に対する手術医の視野を遮らないようになっている。ステープル締結アセンブリ８はシャフト３の先端９に取り付けられている。シャフト３は手術用ステープリング器具１の先端領域のための十分な支持力を有する。
　図１、図２および図３は、レバー５およびトリガー６を起動する（ハンドル４に向けて回動させる）ことによって達成されるそれぞれ別の３つの動作状態にある手術用ステープリング器具１を示す。ステープル締結アセンブリ８の様々な状態の詳細については後述する。
　図４は、ステープル締結アセンブリ８の拡大図である。ステープル締結アセンブリ８は、横断面において円弧状の形状を有する湾曲したカートリッジ１０を有する。この実施の形態では、円弧は約１８０°にわたって延びている。カートリッジ１０は、ステープル締結アセンブリ８の残りの部分から取り外すことが可能であり、差込ロック１４によって、カートリッジホルダ１２に固定される。図４には、非ロック状態でカートリッジホルダ１２からわずかに持ち上げられたカートリッジ１０が示されている。カートリッジホルダ１２は、横断面においてカートリッジ１０の円弧状の形状にマッチしており、同様に約１８０度にわたって延びている。図５では、カートリッジ１０はカートリッジホルダ１２に完全に挿入され、差込ロック１４によりロックされている。
　カートリッジホルダ１２の基部は、カートリッジホルダ１２の先端部よりも半径方向において狭いスライダ１６としてデザインされている。図４および図５から明らかなように、スライダ１６は案内部１８に摺動可能に取り付けられている。案内部１８の内部でスライダ１６をシフトすることにより、カートリッジ１０を内包するカートリッジホルダ１２はシャフト３の長手軸線Ｌの方向に移動可能である。図１および図５は、カートリッジホルダ１２の肩が案内部１８の先端１９に非常に近接した離間状態を示す。
　案内部１８の外周面はカートリッジホルダ１２の先端部の外周面に類似しているが、アーム２０の分、案内部１８の円弧の角度はカートリッジ１０の円弧の角度よりもわずかに大きい。アーム２０は案内部１８の一端に剛的に連結されており、長手軸線Ｌに平行に延びている。アーム２０はアンビル２２を支持しており、アンビル２２は非外傷性の形状の先端部２４とステープル整形面２６（図６参照）を持つ。この実施の形態では、ステープル整形面２６はシャフト３の長手軸線Ｌに関して９０°の角度で配置されている。しかし、他の横断角も考えられる。さらに、アンビルを支持するために、それぞれ案内部１８の両端に配置された二つのアームを使用することも考えられうる。」（段落【００３３】〜【００３７】）
　
（ク）「図８および図９を用いてステープル締結アセンブリ８を詳細に説明する前に、ステープル締結アセンブリ８の全体の形状を再度説明する。案内部１８、カートリッジホルダ１２、カートリッジ１０およびアンビル２２が横断面においてほぼ円弧状の形状を有すること、ならびにアーム２０が配設されていることにより、ステープル締結アセンブリ８は、カートリッジホルダ１２の内側凹面４０（ひいてはカートリッジ１０の内側凹面４１）、アンビル２２の内側凹面４２、および案内部１８の内側凹面４４への自由で阻害されない進入を可能にする（図５参照）。すなわち、カートリッジ１０が図５に示すように離間状態（開放状態）にある場合には、カートリッジ１０とアンビル２２の間の隙間の領域の組織に、他の手術器具でアクセスしこれを取り扱うことが可能である。
　図８および図９は、図５のＶ−Ｖ線に沿うステープル締結アセンブリ８の断面図である。図８はカートリッジホルダ１２のスライダ１６がどのようにして案内部１８の内部に案内されるかを示す。スライダ１６はカートリッジ１０を内包するカートリッジホルダ１２の長手方向の移動を可能にする。このようにして、レバー５を起動することで、カートリッジ１０は図１および図５に示す開放状態からアンビル２２に向かって移動することができ、図２および図８に示す閉止状態に至る。レバー５によりこの運動を達成する機構は例えば米国特許第５，６０５，２７２号に記載されている。この運動の間に、カートリッジ１０は、アンビル２２のステープル整形面２６に対する平衡状態を維持する。」（段落【００４０】〜【００４１】）
　
（ケ）「図３に示すようにトリガー６をハンドル４に向けて引くことによってトリガー６が起動されると、図９に示すようにバー５３およびプッシャ５２が先端方向に移動させられる。このようにして、ステープル５４，５５，５６はカートリッジ１０から発射される。さらにナイフ５８が同様に先端方向に移動させられる。ナイフ５８の先端エッジはステープル５４，５５，５６の尖鋭端よりも後側に配置されているので（図８参照）、ステープル５４，５５，５６が組織を貫通した後に、ナイフ５８はカートリッジ１０とアンビル２２の間に挟まれた組織に到達する。このため、組織が切除プロセスの間に変形することが防止される。ナイフ５８が組織を切除した後、切除された組織標本はステープル５４の列３４を内包する。ただし、患者に残った組織は、千鳥状に配置されたステープル５５，５６の二つの列３５，３６によって隣接した状態のままで維持される。」（段落【００４４】）
　
（コ）「【図１】
　フレームとステープル締結アセンブリを備え、ステープル締結アセンブリが互いに離間したカートリッジとアンビルを有する、本発明の手術用ステープリング器具の実施の形態の等角投影図である。
　【図２】
　カートリッジを閉止状態に移動させた後の器具の等角投影図である。
　【図３】
　ステープルを発射させた後の器具の等角投影図である。
　【図４】
　カートリッジがカートリッジホルダにロックされていない状態の本発明の器具のステープル締結アセンブリの拡大等角投影図である。
　【図５】
　カートリッジがカートリッジホルダにロックされた状態の本発明の器具のステープル締結アセンブリの拡大等角投影図である。
　【図６】
　この器具のアンビルのステープル整形面の等角投影図である。
　【図７】
　この器具のカートリッジの等角投影図である。
　【図８】
　図５のＶ−Ｖ線に沿って見たステープル締結アセンブリの長手方向断面図であり、カートリッジが閉止位置に移動させられたが、まだステープルを発射していない状態を示す図である。
　【図９】
　図８と同様の長手方向断面図であり、ステープルを発射した後の状態を示す図である。
　【図１０】
　患者の直腸内のポリープを取り除くための器具の使用を示す概略等角投影図である。」（【図面の簡単な説明】）
　
　また、図面には以下の点が開示されている。
　
（サ）「ステープル締結アセンブリ８は、カートリッジホルダ１２およびアンビル２２を支持する」点（【図４】、【図５】）。
　
（シ）「ステープル締結アセンブリ８と、カートリッジホルダ１２内に、バー５３およびプッシャ５２が配置されている構成」（【図８】、【図９】）。
　
　以上の記載事項及び図面の開示事項からみて、刊行物１には、次の発明（以下、「引用発明」という。）が開示されている。
　「組織に複数のステープルをステープルするように適合された手術用ステープリング器具であって、
　手術用ステープリング器具はフレームを有し、フレームは本体部とハンドル４を有し、本体部は基部２とシャフト３を備え、ハンドルは本体部の基端領域から延び、ステープル締結アセンブリ８はシャフトの先端に取り付けられており、ステープル締結アセンブリ８は、カートリッジホルダ１２およびアンビル２２を支持し、カートリッジホルダ１２が、アンビル２２と離れた開放状態およびアンビル２２に近づいた閉止状態の間を移動可能であり、
　トリガー６をハンドル４に向けて引くことによってトリガー６が起動されると、ステープル締結アセンブリ８とカートリッジハウジング内に配置されたバー５３およびプッシャ５２が先端方向に移動させられ、ステープルはカートリッジ１０から発射される構成
を有し、
　ステープル締結アセンブリ８が、横断面においてほぼ円弧状の形状を有する、手術用ステープリング器具。」
　
３−２．対比
　本願補正発明と引用発明とを対比する。
　構造または機能からみて、引用発明の「組織」は、本願補正発明の「体の組織」に相当し、以下同様に、「ステープル」は「手術用締結具」に、「ステープルする」は「適用する」に、「手術用ステープリング器具」は「手術用器具」に、「カートリッジホルダ１２」は「カートリッジハウジング」に、「アンビル２２」は「アンビル構造」に、「開放状態」は、「第１の位置」に、「閉止状態」は「第２の位置」に、「カートリッジホルダ１２が、アンビル２２と離れた開放状態およびアンビル２２に近づいた閉止状態の間を移動可能」は、「カートリッジハウジングおよび上記アンビル構造が互いに離れた第１の位置および互いに近づいた第２の位置の間を相対的に移動可能」に、それぞれ相当する。
　また、「ステープル締結アセンブリ８」は、カートリッジホルダ１２およびアンビル２２を支持しており、そのための形状と寸法を有するものであるから、引用発明の「ステープル締結アセンブリ８は、カートリッジホルダ１２およびアンビル２２を支持し」は、本願補正発明の「端部エフェクターはカートリッジハウジングおよびアンビル構造を支持するような形状および寸法を有し」に相当する。
　引用発明のフレームは、本体部とハンドル４とを有し、本体部は基部２とシャフト３とを備えており、また、ステープル締結アセンブリ８はシャフト３の先端９に取り付けられているから（上記（キ）、【図１】の記載参照）、その構成または機能からみて、引用発明の「基部２」と「ハンドル４」とを併せたものが、本願補正発明の「ハンドル」に相当し、引用発明の「ステープル締結アセンブリ８」は本願補正発明の「端部エフェクター」に相当する。
　そして、本願補正発明の「フレーム」は、「近位の端部および遠位の端部を備え、上記近位の端部にはハンドルが配置され、上記遠位の端部には端部エフェクターが配置される」ものであるから、引用発明の「シャフト３」が、これに相当するものである。
　さらに、引用発明の「トリガー６をハンドル４に向けて引くことによってトリガー６が起動されると、ステープル締結アセンブリ８とカートリッジハウジング内に配置されたバー５３およびプッシャ５２が先端方向に移動させられ、ステープルはカートリッジ１０から発射される構成」は、トリガー６は選択的に起動されるものであるといえるから、本願補正発明の「選択的に駆動するために上記端部エフェクターおよび上記カートリッジハウジングと関連した発射機構」に相当する。
　また、引用発明の「横断面においてほぼ円弧状の形状を有する」ことは、本願補正発明の「湾曲を有する」ことに相当する。
　
　そこで、本願補正発明と引用発明とを対比すると、両者は次の点で一致する。
（一致点）
　「体の組織に複数の手術用締結具を適用するように適合された手術用器具であって、
　近位の端部および遠位の端部を備え、上記近位の端部にはハンドルが配置され、上記遠位の端部には端部エフェクターが配置され、上記端部エフェクターはカートリッジハウジングおよびアンビル構造を支持するような形状および寸法を有し、上記カートリッジハウジングおよび上記アンビル構造が互いに離れた第１の位置および互いに近づいた第２の位置の間を相対的に移動可能である、フレームと、
　選択的に駆動するために上記端部エフェクターおよび上記カートリッジハウジングと関連した発射機構と
を有し、
　上記端部エフェクターが、湾曲を有する、手術用器具。」
　
　そして、両者は次の相違点１、２で相違する。　
（相違点１）
　本願補正発明の「手術用器具」は、「男性の骨盤内で用いるために適合され」ているのに対し、引用発明の「手術用ステープリング器具」は、そのような適合がされているか否か不明である点。
　
（相違点２）
　本願補正発明は、端部エフェクターが、５．０８ｃｍ（２インチ）から１０．１６ｃｍ（４インチ）までの直径の湾曲を有するのに対し、引用発明のステープル締結アセンブリ８（本願補正発明の「端部エフェクター」に相当）が、湾曲を有するものの、そのような数値限定を有さない点。
　
３−３．相違点の判断
　上記相違点について検討する。
（相違点１について）
　引用発明は、湾曲ステープリングを伴う切除によって最も良く処置される全ての病状の診断および治療に使用される手術用ステープリング器具に関するものであり（上記（オ）参照）、特定の部位の使用に限定されるものではなく、また、直腸の処置という骨盤内の処置にも用いられることが記載されており、さらに、引用発明のような手術用ステープリング器具を骨盤内で用いることは周知の技術事項であって（例えば、特開昭６２−６０５４３号公報の第１０頁右上欄第１３行〜同左下欄第３行、特開平７−２６５３２３号公報の段落【００６４】等参照）、さらに、男性と女性とで骨盤形状が大きく異なることは医学常識であることを踏まえれば、引用発明を男性の骨盤内の処置に用いることとし、そのために、手術用ステープリング器具（本願補正発明の「手術用器具」に相当）を、男性の骨盤内でも使用できるように、適合させるよう構成することは、当業者が容易に想到し得たことである。
　
（相違点２について）
　本願補正発明の上記相違点２に係る構成は、上記相違点１に関連し、男性の骨盤内での使用に適合するためのものであるところ、引用発明を、男性骨盤内でも使用できるように適合させるよう構成することは、当業者が容易に想到し得たことである点は、上述したとおりであり、その適合のため、男性の骨盤形状や大きさ等を踏まえて湾曲の直径を最適な数値とすることは、数値範囲の最適化のための当業者の通常の創作能力の発揮にすぎない。また、本願補正発明の数値限定条件範囲において、本願補正発明が、格別に顕著かつ臨界的に優れた作用・効果を奏するものともいえない。
　
　したがって、本願補正発明は、引用発明及び周知の技術事項に基づいて、当業者が容易に発明をすることができたものであるので、特許法第２９条第２項の規定により、特許出願の際独立して特許を受けることができない。
　
３−４．むすび
　したがって、本件補正は、平成１８年法律第５５号改正附則第３条第１項によりなお従前の例によるとされる同法による改正前特許法第１７条の２第５項において準用する同法第１２６条第５項の規定に違反するので、同法第１５９条第１項において読み替えて準用する同法第５３条第１項の規定により却下すべきものである。
　
III．本願発明
　本件補正は、上記のとおり却下されたので、本願の請求項１に係る発明（以下、同項記載の発明を、「本願発明」という。）は、平成２２年１２月２２日付けの手続補正書により補正された特許請求の範囲の請求項１に記載された事項により特定される、以下のとおりのものである。
　「男性の骨盤内で用いるために適合され、体の組織に複数の手術用締結具を適用するように適合された手術用器具であって、
　近位の端部および遠位の端部を備え、上記近位の端部にはハンドルが配置され、上記遠位の端部には端部エフェクターが配置され、上記端部エフェクターはカートリッジハウジングおよびアンビル構造を支持するような形状および寸法を有し、上記カートリッジハウジングおよび上記アンビル構造が互いに離れた第１の位置および互いに近づいた第２の位置の間を相対的に移動可能である、フレームと、
　選択的に駆動するために上記端部エフェクターおよび上記カートリッジハウジングと関連した発射機構と
を有し、
　上記端部エフェクターが、２．５４ｃｍ（１インチ）から１０．１６ｃｍ（４インチ）までの直径の湾曲を有する、手術用器具。」
　
IV．引用例の記載事項
　原査定の拒絶の理由に引用された刊行物１、及び、その記載事項は、前記II．３−１に記載したとおりである。
　
Ｖ．対比・判断
　本願発明は、前記II．１の本願補正発明から、請求項１に記載した発明を特定するために必要な事項である「端部エフェクター」の限定事項である「５．０８ｃｍ（２インチ）から１０．１６ｃｍ（４インチ）までの直径の湾曲を有する」という数値限定を「２．５４ｃｍ（１インチ）から１０．１６ｃｍ（４インチ）までの直径の湾曲を有する」という数値範囲まで拡張したものである。
　そうすると、本願発明の発明特定事項をすべて含み、さらに、他の発明特定事項を限定したものに相当する本願補正発明が、前記II．３−３に記載したとおり、引用発明及び周知の技術事項に基づいて、当業者が容易に発明をすることができたものであるから、本願発明も、同様に、引用発明及び周知の技術事項に基づいて、当業者が容易に発明をすることができたものである。
　
VI．むすび
　以上のとおり、本願発明は、引用発明及び周知の技術事項に基づいて、当業者が容易に発明をすることができたものであるから、特許法第２９条第２項の規定により、特許を受けることができない。
　そして、本願の請求項１に係る発明が特許を受けることができないものである以上、本願の請求項２、３に係る発明について検討するまでもなく、本願は拒絶すべきものである。
　
　よって、結論のとおり審決する。